(57)【特許請求の範囲】
【請求項１】
自局が通信に用いる周波数と異なる他の周波数の受信信号レベルに基づいて、受信信号処理で生じる感度抑圧効果を検出し、前記感度抑圧効果の検出状況に応じて、周波数の変更要求を示す制御情報を送信する移動局と、
前記移動局から前記制御情報を受信し、受信した前記制御情報に基づいて、前記移動局が通信に用いる周波数の割り当てを変更する基地局と、
を有する無線通信システム。
【請求項２】
前記移動局は、前記感度抑圧効果の検出状況と前記受信信号処理に用いる受信フィルタのフィルタ特性とに基づいて、前記制御情報を送信するか否か判定する、請求項１記載の無線通信システム。
【請求項３】
前記移動局は、前記制御情報を送信しないと判定したとき、前記感度抑圧効果が低減されるように前記受信フィルタの通過帯域を変更する、請求項２記載の無線通信システム。
【請求項４】
前記基地局は、他の基地局から当該他の基地局が通信に用いる周波数を示すセル情報を取得し、前記セル情報を参照して、割り当て変更後の前記移動局が通信に用いる周波数を決定する、請求項１記載の無線通信システム。
【請求項５】
前記移動局は、前記感度抑圧効果の検出状況に基づいて、受信フィルタの通過帯域から外す除外周波数を算出し、前記制御情報に前記除外周波数の情報を含めて送信し、
前記基地局は、前記除外周波数に基づいて、割り当て変更後の前記移動局が通信に用いる周波数を決定する、請求項１記載の無線通信システム。
【請求項６】
前記移動局は、前記感度抑圧効果の検出状況に基づいて、変更後の周波数の候補を算出し、前記制御情報に前記周波数の候補の情報を含めて送信し、
前記基地局は、前記周波数の候補に基づいて、割り当て変更後の前記移動局が通信に用いる周波数を決定する、請求項１記載の無線通信システム。
【請求項７】
前記移動局は、受信フィルタを通過した後の受信信号から、前記自局が通信に用いる周波数の受信信号レベルと前記他の周波数の受信信号レベルとを測定し、測定結果に基づいて前記感度抑圧効果を検出する、請求項１記載の無線通信システム。
【請求項８】
自局が通信に用いる周波数と異なる他の周波数の受信信号レベルに基づいて、受信信号処理で生じる感度抑圧効果を検出する検出部と、
前記感度抑圧効果の検出状況に応じて、前記自局が通信に用いる周波数の変更要求を示す制御情報を、周波数の割り当てを制御する基地局に送信する送信部と、
を有する移動局。
【請求項９】
移動局から、前記移動局の受信信号処理で生じる感度抑圧効果の検出状況に応じて送信される、周波数の変更要求を示す制御情報を受信する受信部と、
受信した前記制御情報に基づいて、前記移動局が通信に用いる周波数の割り当てを変更する制御部と、
を有する基地局。
【請求項１０】
移動局と基地局とを含むシステムが行う無線通信方法であって、
前記移動局が通信に用いる周波数と異なる他の周波数の受信信号レベルに基づいて、前記移動局の受信信号処理で生じる感度抑圧効果を検出し、
前記感度抑圧効果の検出状況に応じて、前記移動局から前記基地局に、周波数の変更要求を示す制御情報を送信し、
前記制御情報に基づいて、前記移動局が通信に用いる周波数の割り当てを変更する、
無線通信方法。
【発明の詳細な説明】
【技術分野】
【０００１】
本発明は無線通信システム、移動局、基地局および無線通信方法に関する。
【背景技術】
【０００２】
現在、携帯電話システムや無線ＬＡＮ（Local Area Network）などの無線通信システムが広く利用されている。また、無線通信の更なる高速化や広帯域化を図るべく、次世代の無線通信技術について継続的に活発な議論が行われている。【０００３】
例えば、国際標準化団体の１つである３ＧＰＰ（3rd Generation Partnership Project）では、符号分割多元接続（ＣＤＭＡ：Code Division Multiple Access）を採用したＷ−ＣＤＭＡ（Wideband - CDMA）や、直交周波数分割多元接続（ＯＦＤＭＡ：Orthogonal Frequency Division Multiple Access）を採用したＬＴＥ（Long Term Evolution）などの通信方式が提案されている。また、３ＧＰＰでは、ＬＴＥを発展させたＬＴＥ−Ａ（LTE - Advanced）と呼ばれる通信方式が議論されている。【０００４】
多くの無線通信システムは、サービスエリア内に複数の基地局を設置して複数のセルを形成するセルラ方式を採用している。無線通信システムは、広範囲のエリアをカバーするマクロセルに加えて、マクロセルよりもセル半径の小さい（基地局の送信電力の小さい）ピコセルやフェムトセルを有することがある。セル半径の異なる複数の種類のセルを含む無線アクセス網は、ヘテロジニアスネットワークと呼ばれることがある。ピコセルやフェムトセルは、そのエリアの全部または一部がマクロセルと重なるように形成され得る。【０００５】
なお、セルラシステムが、他のセルラシステムのキャリア周波数と隣接する第１のキャリア周波数および隣接しない第２のキャリア周波数を使用できるとき、他のセルラシステムとの干渉が大きい移動局に第２のキャリア周波数を使用させる方法が提案されている。また、異なるサービスセットに属する複数の調停局が、所定の周波数帯域の共通チャネル上で互いにビーコンを送受信することで、サービスセット間の干渉を調停するシステムが提案されている。また、使用可能な無線チャネル（候補チャネル）それぞれの信号強度を測定して他チャネルからの干渉の影響度を算出し、干渉の影響度が最小となる候補チャネルを使用する無線チャネルとして選択する通信装置が提案されている。
【先行技術文献】
【特許文献】
【０００６】
【特許文献１】特開平１１−３４１５５５号公報
【特許文献２】特開２００６−２５４３９８号公報
【特許文献３】特開２００８−７８６９８号公報
【発明の概要】
【発明が解決しようとする課題】
【０００７】
セル間の干渉を低減するために、あるセル（例えば、マクロセル）の基地局と他のセル（例えば、当該マクロセルとエリアが重なるピコセルやフェムトセル）の基地局が、互いに異なる周波数を使用する方法が考えられる。しかし、移動局では、自局が通信に用いる所望の周波数と他のセルの周波数とが異なっていても、他のセルからの受信信号レベルが大きい場合には、感度抑圧効果が生ずることがある。【０００８】
ここで、感度抑圧効果とは、希望波信号とは異なる周波数の他セル信号の受信レベルが非常に大きい場合に、アナログ受信部において、小さな希望波信号が雑音や量子化雑音に埋もれてしまうことにより、受信特性が劣化する現象である。例えば、所望の周波数であるマクロセル信号の受信レベルが相対的に非常に小さく、所望の周波数に近い周波数であるフェムトセル信号の受信レベルが相対的に非常に大きい場合を考える。このような場合に、所望の周波数に近い他の周波数の信号を受信フィルタで完全には除去できず、他のセルからのレベルの大きな受信信号（フェムトセル信号）が受信フィルタを通過してしまうと、所望の周波数の受信信号（マクロセル信号）の検出精度が低下することにより、感度抑圧効果が生ずることがある。【０００９】
無線通信システムにおいては、感度抑圧効果が生ずるとことによってＳＩＮＲ（Signal to Interference and Noise Ration）などの受信品質が低下することがあるため、これを低減させることが望ましい。しかし、従来技術では感度抑圧効果を低減することができないという課題がある。【００１０】
本発明はこのような点に鑑みてなされたものであり、受信信号処理で生じる感度抑圧効果を低減することができる無線通信システム、移動局、基地局および無線通信方法を提供することを目的とする。
【課題を解決するための手段】
【００１１】
移動局と基地局とを有する無線通信システムが提供される。移動局は、自局が通信に用いる周波数と異なる他の周波数の受信信号レベルに基づいて、受信信号処理で生じる感度抑圧効果を検出し、感度抑圧効果の検出状況に応じて、周波数の変更要求を示す制御情報を送信する。基地局は、移動局から制御情報を受信し、受信した制御情報に基づいて、移動局が通信に用いる周波数の割り当てを変更する。【００１２】
また、移動局と基地局とを含むシステムが行う無線通信方法が提供される。無線通信方法では、移動局が通信に用いる周波数と異なる他の周波数の受信信号レベルに基づいて、移動局の受信信号処理で生じる感度抑圧効果を検出する。感度抑圧効果の検出状況に応じて、移動局から基地局に、周波数の変更要求を示す制御情報を送信する。制御情報に基づいて、移動局が通信に用いる周波数の割り当てを変更する。
【発明の効果】
【００１３】
移動局の受信信号処理で生じる感度抑圧効果を低減することができる。
本発明の上記および他の目的、特徴および利点は本発明の例として好ましい実施の形態を表す添付の図面と関連した以下の説明により明らかになるであろう。
【図面の簡単な説明】
【００１４】
【図１】第１の実施の形態の無線通信システムを示す図である。
【図２】第２の実施の形態の無線通信システムを示す図である。
【図３】キャリアアグリゲーションの例を示す図である。
【図４】第２の実施の形態の移動局を示すブロック図である。
【図５】第２の実施の形態の基地局を示すブロック図である。
【図６】感度抑圧効果の発生状況の例を示す図である。
【図７】基地局が有する周辺セルテーブルの例を示す図である。
【図８】移動局から基地局へのメッセージの例を示す図である。
【図９】第１の移動局処理を示すフローチャートである。
【図１０】第２の移動局処理を示すフローチャートである。
【図１１】第３の移動局処理を示すフローチャートである。
【図１２】基地局処理を示すフローチャートである。
【図１３】フィルタの通過帯域の第１のシフト例を示す図である。
【図１４】フィルタの通過帯域の第２のシフト例を示す図である。
【図１５】フィルタの通過帯域の第３のシフト例を示す図である。
【図１６】フィルタの通過帯域の第４のシフト例を示す図である。
【発明を実施するための形態】
【００１５】
以下、本実施の形態を図面を参照して説明する。
［第１の実施の形態］
図１は、第１の実施の形態の無線通信システムを示す図である。第１の実施の形態の無線通信システムは、無線通信を行う移動局１０と基地局２０を有する。移動局１０は、基地局２０と直接通信してもよいし、中継局を介して基地局２０と通信してもよい。
【００１６】
移動局１０は、検出部１１および送信部１２を有する。
検出部１１は、移動局１０が通信に用いる周波数と異なる他の周波数の受信信号レベル（例えば、受信電力）に基づいて、受信信号処理で生じる感度抑圧効果を検出する。検出部１１は、通信に用いる周波数＃１の受信信号レベルと通信に用いない周波数＃２の受信信号レベルから、感度抑圧効果が大きいか判定してもよい。例えば、検出部１１は、周波数＃１の受信信号レベルに対する周波数＃２の受信信号レベルの差または比が閾値を超えるとき、感度抑圧効果が大きいと判定する。または、検出部１１は、周波数＃２の受信信号レベルが閾値を超えるとき、感度抑圧効果が大きいと判定する。
【００１７】
なお、移動局１０は、例えば、周波数＃１，＃２の受信信号レベルを測定する。受信信号レベルの測定には、帯域通過フィルタ（ＢＰＦ：Band Pass Filter）など、受信信号処理に用いる受信フィルタを通過した後の信号を用いてもよい。感度抑圧効果の検出は、ＲＡＭ（Random Access Memory）などのプログラムを記憶するメモリと、ＣＰＵ（Central Processing Unit）などのプログラムを実行するプロセッサを用いて実現してもよい。また、ＡＳＩＣ（Application Specific Integrated Circuit）やＦＰＧＡ（Field Programmable Gate Array）などの電子回路を用いて実現してもよい。
【００１８】
送信部１２は、検出部１１による感度抑圧効果の検出状況に応じて、移動局１０が通信に用いる周波数の変更要求を示す制御情報１３を基地局２０に送信する。例えば、送信部１２は、感度抑圧効果が大きいと判定されたとき、制御情報１３を送信する。または、送信部１２は、感度抑圧効果が大きいと判定され、且つ、受信フィルタの通過帯域を変更する（例えば、通過帯域をシフトする）ことによっては感度抑圧効果を十分に低減することができないと判定されるとき、制御情報１３を送信する。
【００１９】
感度抑圧効果を十分に低減できるか否かは、受信フィルタのフィルタ特性が考慮されて判定され得る。例えば、周波数＃１と周波数＃２の差が所定幅未満であるために、周波数＃１を受信フィルタの通過帯域に含めつつ、周波数＃２を通過帯域から除外することができないとき、通過帯域の変更によって感度抑圧効果を低減できないと判定される。一方、通過帯域の変更によって感度抑圧効果を十分に低減できると判定されるときは、移動局１０は、制御情報１３を基地局２０に送信せず、周波数＃２が通過帯域から除外されるように受信フィルタの通過帯域を変更してもよい。
【００２０】
基地局２０は、受信部２１および制御部２２を有する。
受信部２１は、周波数の変更要求を示す制御情報１３を移動局１０から受信する。
制御部２２は、受信部２１が制御情報１３を受信すると、制御情報１３に基づいて、移動局１０が通信に用いる周波数の割り当てを変更する。例えば、制御部２２は、移動局１０が通信に用いる周波数を、感度抑圧効果の原因となる周波数＃２（通信に用いない周波数）から所定幅以上離れた周波数に変更する。制御部２２は、変更後の周波数を移動局１０に通知してもよい。周波数の割り当て変更は、ＲＡＭなどのプログラムを記憶するメモリと、ＣＰＵなどのプログラムを実行するプロセッサを用いて実現してもよい。また、ＡＳＩＣやＦＰＧＡなどの電子回路を用いて実現してもよい。
【００２１】
ここで、基地局２０は、周辺基地局から各周辺基地局が通信に用いる周波数を示すセル情報を取得してもよい。その場合、制御部２２は、セル情報を参照して、移動局１０が周辺基地局の信号を受信し得る周波数を特定し、特定した周波数を避けるように変更後の周波数を決定することができる。また、移動局１０は、受信信号レベルが大きく受信フィルタの通過帯域から除外したい周波数の情報を、制御情報１３に含めて送信してもよい。その場合、制御部２２は、制御情報１３が示す除外周波数を避けるように、変更後の周波数を決定することができる。また、移動局１０は、変更後の周波数の候補を算出し、周波数候補の情報を制御情報１３に含めて送信してもよい。その場合、制御部２２は、制御情報１３が示す周波数候補の中から、変更後の周波数を選択することができる。
【００２２】
第１の実施の形態の無線通信システムによれば、移動局１０が通信に用いる周波数と異なる他の周波数の受信信号レベルに基づいて、移動局１０の受信信号処理で生じる感度抑圧効果を検出する。感度抑圧効果の検出状況に応じて、移動局１０から基地局２０に、周波数の変更要求を示す制御情報１３を送信する。制御情報１３に基づいて、移動局１０が通信に用いる周波数の割り当てを変更する。これにより、移動局１０の受信信号処理で生じる感度抑圧効果を低減することができ、移動局１０の受信品質を改善できる。
【００２３】
例えば、セル半径の異なる複数の種類のセルを含むヘテロジニアスネットワークでは、移動局は、接続中の基地局よりも近くに他の基地局が存在すると、抽出したい信号（希望信号）よりレベルの大きな抽出しなくてよい信号（不要信号）を、自局が通信に用いない周波数で受信することがある。一方で、移動局は、通信に用いない周波数であって通信に用いる周波数から近い周波数の信号を、受信フィルタで完全に除去できないことがある。そのため、受信フィルタを通過後の受信信号に希望信号より大きなレベルの不要信号が含まれてしまい、その後の自動利得制御、熱雑音の印加、量子化処理などを通じて希望信号のレベルが相対的に抑えられ、希望信号の検出精度が低下することがある。
【００２４】
これに対し、感度抑圧効果の検出状況に応じて、移動局１０が基地局２０に周波数の変更を要求することで、移動局１０において不要信号を受信フィルタで除去することが容易となる。ただし、移動局１０は、受信フィルタの通過帯域を変更することで不要信号を除去できるようになる場合には、基地局２０に周波数の変更を要求しなくてもよい。
【００２５】
なお、ＬＴＥの技術仕様（ＴＳ３６．１０１）は、希望信号の周波数から１５〜６０ＭＨｚ離れた周波数における不要信号の受信電力が−４４ｄＢｍ以下であれば、不要信号が存在しない場合と比べたスループットの低下を５％以内に抑えることを要求している。しかし、送信電力が２０ｄＢｍの基地局から５ｍ離れた移動局における当該基地局からの受信電力は、−３２ｄＢｍであり、上記の規準値−４４ｄＢｍを上回る。このため、ＬＴＥの仕様に準拠した移動局であっても、ピコセルやフェムトセルの近くでは、感度抑圧効果によって希望信号の受信品質が大きく低下するおそれがある。
【００２６】
以下に説明する第２の実施の形態では、ＬＴＥ−Ａを想定した無線通信システムの例を挙げる。ただし、第１の実施の形態で説明した無線通信方法は、もちろん、ＬＴＥ−Ａ以外の通信方式を採用した無線通信システムにも適用することができる。
【００２７】
［第２の実施の形態］
図２は、第２の実施の形態の無線通信システムを示す図である。第２の実施の形態の無線通信システムは、移動局１００および基地局２００，２００ａを有する。
【００２８】
移動局１００は、基地局２００，２００ａに接続して無線通信を行う無線端末装置である。移動局１００は、携帯電話機や携帯情報端末であってもよい。
基地局２００，２００ａは、無線インタフェースと有線インタフェースとを有する通信装置である。基地局２００，２００ａはそれぞれセルを形成する。基地局２００ａのセルは、基地局２００のセルの少なくとも一部とエリアが重複する。基地局２００のセルがマクロセル、基地局２００ａのセルがフェムトセルであってもよい。基地局２００，２００ａは、有線ネットワーク３０（例えば、コアネットワーク）に接続されている。
【００２９】
ここで、基地局２００，２００ａは、無線インタフェースを介して移動局１００と通信する。基地局２００，２００ａと移動局１００の間には、中継局が介在してもよい。ただし、第２の実施の形態では、移動局１００が基地局２００に接続する場合を考える。基地局２００と基地局２００ａとは、無線通信に、互いに重複しない周波数帯域を使用する。基地局２００は、コンポーネントキャリア（ＣＣ：Component Carrier）と呼ばれる周波数帯域を複数用いて、無線通信を行うことができる。また、基地局２００，２００ａは、有線ネットワーク３０を介して互いに通信することができる。
【００３０】
図３は、キャリアアグリゲーションの例を示す図である。基地局２００は、予め設定された複数のＣＣのうち２以上のＣＣを集約して、移動局１００との通信に使用できる。ＣＣの集約は、キャリアアグリゲーションと呼ばれることがある。
【００３１】
例えば、５つのＣＣ（ＣＣ＃１〜＃５）が、連続または不連続な周波数に設けられる。ＣＣ＃１〜＃５は、同一の周波数バンド（例えば、８００ＭＨｚ帯，２．５ＧＨｚ帯，３．５ＧＨｚ帯など）に属する帯域の集合であってもよいし、複数の異なる周波数バンドに属する帯域の集合であってもよい。時分割複信（ＴＤＤ：Time Division Duplex）を採用する場合、ＣＣ毎に、下りリンク（ＤＬ：Downlink）と上りリンク（ＵＬ：Uplink）兼用の帯域が確保される。周波数分割複信（ＦＤＤ：Frequency Division Duplex）を採用する場合、ＣＣ毎に、ＤＬ用の周波数帯域とＵＬ用の周波数帯域とが確保される。
【００３２】
基地局２００は、ＣＣ毎に無線フレームを送信し、無線フレームのリソース（例えば、時間軸と周波数軸とで細分化された無線リソース）の割り当てを制御する。基地局２００は、２以上のＣＣの無線リソースを並行して移動局１００に割り当てることで、１つのＣＣの帯域幅よりも広い帯域幅を、移動局１００との通信に用いることができる。なお、各ＣＣの帯域幅は、例えば、５ＭＨｚ，１０ＭＨｚ，１５ＭＨｚ，２０ＭＨｚなどに設定できる。複数のＣＣの帯域幅は、同一でなくてもよい。
【００３３】
図４は、第２の実施の形態の移動局を示すブロック図である。移動局１００は、アンテナ１１１、デュプレクサ１１２、発振器１１３，１２５，１４５、無線周波（ＲＦ：Radio Frequency）フィルタ１２１，１４９、ミキサ１２２，１２６，１４６，１４８、中間周波（ＩＦ：Intermediate Frequency）フィルタ１２３，１４７、自動利得制御部（ＡＧＣ：Auto Gain Controller）１２４，１２８、ベースバンド（ＢＢ：Baseband）フィルタ１２７，１４４、アナログデジタル変換器（ＡＤＣ：Analog to Digital Converter）１２９、復調部１３０、ＲＲＣ（Radio Resource Control）処理部１３１、測定部１３２、制御部１３３、多重化部１４１、変調部１４２およびデジタルアナログ変換器（ＤＡＣ：Digital to Analog Converter）１４３を有する。
【００３４】
アンテナ１１１は、無線周波の受信信号を、デュプレクサ１１２に出力する。また、デュプレクサ１１２から取得した無線周波の送信信号を送信する。なお、移動局１００は、複数のアンテナを備えてもよく、送信用アンテナと受信用アンテナとを分けてもよい。
【００３５】
デュプレクサ１１２は、フィルタなどを用いて送信信号と受信信号とを隔離して、アンテナ１１１を送信受信兼用のアンテナとして使用できるようにする。デュプレクサ１１２は、アンテナ共用器と呼ばれることもある。デュプレクサ１１２は、アンテナ１１１から取得した無線周波の受信信号を、ＲＦフィルタ１２１に出力する。また、ＲＦフィルタ１４９から取得した無線周波の送信信号を、アンテナ１１１に出力する。
【００３６】
発振器１１３は、無線周波と無線周波より周波数の低い中間周波との間の信号変換（ダウンコンバートおよびアップコンバート）に用いられる基準信号を生成する。発振器１１３は、生成した基準信号をミキサ１２２，１４８に供給する。
【００３７】
ＲＦフィルタ１２１は、デュプレクサ１１２から無線周波の受信信号を取得し、所定の周波数帯域の信号のみ通過させる帯域通過フィルタである。ＲＦフィルタ１２１の通過帯域は、後段のＩＦフィルタ１２３やＢＢフィルタ１２７の通過帯域よりも広く、所望の周波数バンド（８００ＭＨｚ帯，２．５ＧＨｚ帯，３．５ＧＨｚ帯など）に設定される。
【００３８】
ミキサ１２２は、ＲＦフィルタ１２１を通過した無線周波の受信信号に、発振器１１３で生成された基準信号を重ねて、無線周波の受信信号を中間周波の受信信号にダウンコンバートする。そして、中間周波の受信信号を、ＩＦフィルタ１２３に出力する。
【００３９】
ＩＦフィルタ１２３は、ミキサ１２２から中間周波の受信信号を取得し、制御部１３３からの指示に応じた周波数帯域の信号のみ通過させる帯域通過フィルタである。例えば、ＩＦフィルタ１２３は、通過帯域の帯域幅を固定とし、制御部１３３からの指示に応じて通過帯域をシフトさせる。ＩＦフィルタ１２３の通過帯域は、後段のＢＢフィルタ１２７の通過帯域よりも広く、所望のＣＣの周波数とその周辺周波数とを含む。
【００４０】
ＡＧＣ１２４は、ＩＦフィルタ１２３を通過した中間周波の受信信号に対して自動利得制御を行い、レベル調整後の受信信号をミキサ１２６に出力する。例えば、ＡＧＣ１２４は、受信信号レベルがその平均レベルに対して適切な範囲で変動するように、受信信号が強いときは利得を下げ、受信信号が弱いときは利得を上げる。
【００４１】
発振器１２５は、中間周波から中間周波より周波数の低いベースバンド周波への信号変換（ダウンコンバート）に用いられる基準信号を生成する。基準信号の周波数は、移動局１００が通信に用いるＣＣに応じて、制御部１３３から指示される。発振器１２５は、生成した基準信号をミキサ１２６に供給する。
【００４２】
ミキサ１２６は、ＡＧＣ１２４を通過した中間周波の受信信号に、発振器１２５で生成された基準信号を重ねて、中間周波の受信信号をアナログベースバンド信号にダウンコンバートする。そして、アナログベースバンド信号をＢＢフィルタ１２７に出力する。
【００４３】
ＢＢフィルタ１２７は、ミキサ１２６からアナログベースバンド信号を取得し、所望のＣＣの周波数帯域の信号を通過させる帯域通過フィルタである。ただし、ＢＢフィルタ１２７は、所望のＣＣの周波数帯域に近い周波数の信号を、完全には除去できないことがある。また、受信信号がＡＧＣ１２４、ミキサ１２６およびＢＢフィルタ１２７を通過するとき、受信信号に素子熱雑音が印加されることがある。
【００４４】
ＡＧＣ１２８は、ＢＢフィルタ１２７を通過したアナログベースバンド信号に対して自動利得制御を行い、レベル調整後の信号をＡＤＣ１２９に出力する。
ＡＤＣ１２９は、アナログベースバンド信号をデジタルベースバンド信号に変換し、デジタルベースバンド信号を復調部１３０に出力する。アナログデジタル変換では、受信信号レベルを離散値で表す量子化において、量子化歪みが発生することがある。
【００４５】
復調部１３０は、ＡＤＣ１２９から取得したデジタルベースバンド信号をデジタル復調する。受信信号は、例えば、ＱＰＳＫ（Quadrature Phase Shift Keying）や１６ＱＡＭ（Quadrature Amplitude Modulation）などの多値変調が行われている。
【００４６】
ＲＲＣ処理部１３１は、復調後の受信信号に対してＲＲＣレイヤのプロトコル処理を行い、基地局２００が送信したＲＲＣ制御情報を抽出する。そして、抽出したＲＲＣ制御情報の少なくとも一部を制御部１３３に出力する。抽出されるＲＲＣ制御情報には、移動局１００が使用するＣＣの変更を示す制御情報が含まれる。
【００４７】
測定部１３２は、ＢＢフィルタ１２７を通過してＡＧＣ１２８に入力される前のアナログベースバンド信号に基づいて、希望信号と不要信号の受信信号レベル（例えば、受信電力）を測定する。例えば、測定部１３２は、移動局１００が通信に用いるＣＣの特定の周波数の受信信号レベル、または、複数の周波数の受信信号レベルの平均または最大を、希望信号の受信信号レベルとして測定する。また、当該ＣＣの周波数帯域外の各周波数の受信信号レベルを、不要信号の受信信号レベルとして測定する。そして、測定部１３２は、受信信号レベルの測定結果を制御部１３３に通知する。なお、ＢＢフィルタ１２７を通過する前のアナログベースバンド信号を用いて、受信信号レベルを測定してもよい。
【００４８】
制御部１３３は、ＲＲＣ処理部１３１から取得するＲＲＣ制御情報と、測定部１３２から通知される受信信号レベルの測定結果に基づいて、受信信号処理で生じる感度抑圧効果の検出および感度抑圧効果を低減する制御を行う。感度抑圧効果は、例えば、ＩＦフィルタ１２３をレベルの大きな不要信号が通過してしまい、ＡＧＣ１２４の利得が抑制され、受信信号に素子熱雑音が印加されることで発生することがある。また、ＡＤＣ１２９で生じる量子化歪みの影響により発生することがある。
【００４９】
例えば、制御部１３３は、測定部１３２で測定された希望信号および不要信号の受信信号レベルに基づいて、大きな感度抑圧効果が生じる可能性があるか判定する。また、レベルの大きな不要信号のある周波数とＩＦフィルタ１２３のフィルタ特性から、ＩＦフィルタ１２３の通過帯域をシフトすることで感度抑圧効果を十分に低減可能か判定する。感度抑圧効果を十分に低減できないと判定される場合、制御部１３３は、通信に用いるＣＣの変更要求を示すＲＲＣ制御情報を生成し、多重化部１４１に出力する。また、制御部１３３は、通信に用いるＣＣとＩＦフィルタ１２３のフィルタ特性とから、希望信号が通過しレベルの大きな不要信号ができる限り通過しないようにＩＦフィルタ１２３の通過帯域を制御する。また、制御部１３３は、発振器１２５の発振周波数を制御する。
【００５０】
ここで、制御部１３３は、感度抑圧効果の検出および感度抑圧効果を低減する制御を行うため、例えば、プロセッサ１３４およびメモリ１３５を有する。プロセッサ１３４は、プログラムを実行し、ＣＰＵであってもよい。メモリ１３５は、プログラムを少なくとも一時的に記憶し、ＲＡＭなどの揮発性の記憶媒体であってもよい。プロセッサ１３４は、ＲＯＭ（Read Only Memory）やフラッシュメモリなどの不揮発性の記憶媒体からプログラムを読み出して、メモリ１３５に格納してもよい。ただし、制御部１３３は、ＡＳＩＣやＦＰＧＡなどの電子回路を用いて実現することも可能である。
【００５１】
多重化部１４１は、誤り訂正符号化されたユーザデータと制御部１３３が生成する制御情報とを多重化し（無線リソースにマッピングして）、変調部１４２に出力する。
変調部１４２は、多重化部１４１からユーザデータと制御情報とを含むデジタルベースバンド信号を取得し、ＱＰＳＫや１６ＱＡＭなどのデジタル変調を行う。そして、変調部１４２は、変調されたデジタルベースバンド信号をＤＡＣ１４３に出力する。
【００５２】
ＤＡＣ１４３は、デジタルベースバンド信号をアナログベースバンド信号に変換し、アナログベースバンド信号をＢＢフィルタ１４４に出力する。
ＢＢフィルタ１４４は、ＤＡＣ１４３からアナログベースバンド信号を取得し、通信に用いるＣＣの周波数帯域の信号を通過させる帯域通過フィルタである。
【００５３】
発振器１４５は、ベースバンド周波から中間周波への信号変換（アップコンバート）に用いられる基準信号を生成し、生成した基準信号をミキサ１４６に供給する。
ミキサ１４６は、ＢＢフィルタ１４４を通過したアナログベースバンド信号に、発振器１４５で生成された基準信号を重ねて、中間周波の送信信号へアップコンバートする。そして、中間周波の送信信号をＩＦフィルタ１４７に出力する。
【００５４】
ＩＦフィルタ１４７は、ミキサ１４６から中間周波の送信信号を取得し、通信に用いるＣＣの周波数帯域の信号を通過させる帯域通過フィルタである。
ミキサ１４８は、ＩＦフィルタ１４７を通過した中間周波の送信信号に、発振器１１３で生成された基準信号を重ねて、無線周波の送信信号へアップコンバートする。そして、無線周波の送信信号を、ＲＦフィルタ１４９に出力する。
【００５５】
ＲＦフィルタ１４９は、ミキサ１４８から無線周波の送信信号を取得し、所望の周波数バンドの信号のみデュプレクサ１１２へ通過させる帯域通過フィルタである。
なお、制御部１３３は、前述の検出部１１の一例である。多重化部１４１、変調部１４２、ＤＡＣ１４３、ＢＢフィルタ１４４、発振器１４５、ミキサ１４６、ＩＦフィルタ１４７、ミキサ１４８およびＲＦフィルタ１４９は、前述の送信部１２の一例である。
【００５６】
図５は、第２の実施の形態の基地局を示すブロック図である。基地局２００は、アンテナ２１１，２３８、無線受信部２１２、高速フーリエ変換（ＦＦＴ：Fast Fourier Transform）部２１３、復調部２１４、復号部２１５、ＭＡＣ（Medium Access Control）／ＲＬＣ（Radio Link Control）処理部２１６、有線インタフェース２２１、ＲＲＣ処理部２２２、テーブル記憶部２２３、制御部２２４、パケット生成部２３１、スケジューラ２３２、符号化部２３３、変調部２３４、多重化部２３５、逆高速フーリエ変換（ＩＦＦＴ：Inverse Fast Fourier Transform）部２３６および無線送信部２３７を有する。
【００５７】
アンテナ２１１は、移動局１００から無線信号を受信し無線受信部２１２に出力する。
無線受信部２１２は、アンテナ２１１から無線周波の受信信号を取得し、無線周波からベースバンド周波へのダウンコンバートを行い、デジタルベースバンド信号に変換された受信信号をＦＦＴ部２１３に出力する。無線受信部２１２は、無線信号処理のため、例えば、帯域通過フィルタ、発振器、ミキサ、ＡＤＣなどの回路を備える。
【００５８】
ＦＦＴ部２１３は、無線受信部２１２から受信信号を取得し、ＦＦＴによって時間成分を周波数成分に変換して、変換後の受信信号を復調部２１４に出力する。ただし、基地局２００は、ＦＦＴ以外の方法によって時間成分から周波数成分への変換を行ってもよい。
【００５９】
復調部２１４は、ＦＦＴ部２１３から取得した受信信号をデジタル復調する。なお、受信信号は、例えば、ＱＰＳＫや１６ＱＡＭなどの多値変調が行われている。
復号部２１５は、復調部２１４から復調された受信信号を取得して、誤り訂正復号し、復号された受信信号をＭＡＣ／ＲＬＣ処理部２１６に出力する。なお、受信信号は、例えば、畳み込み符号や畳み込みターボ符号、低密度パリティ検査（ＬＤＰＣ：Low Density Parity Check）符号などに誤り訂正符号化されている。
【００６０】
ＭＡＣ／ＲＬＣ処理部２１６は、復号部２１５から復号された受信信号を取得し、ＭＡＣレイヤおよびＲＬＣレイヤのプロトコル処理を行う。受信信号から抽出されたユーザデータは、例えば、有線インタフェース２２１に出力される。
【００６１】
有線インタフェース２２１は、有線ネットワーク３０に接続され、パケット通信を行うインタフェースである。有線インタフェース２２１は、移動局１００が送信したユーザデータを有線ネットワーク３０に転送し、また、有線ネットワーク３０から移動局１００宛てのユーザデータを受信してパケット生成部２３１に出力する。また、有線インタフェース２２１は、有線ネットワーク３０を介して基地局２００ａから、基地局２００ａが通信に用いる周波数帯域を示す制御情報を取得し、制御部２２４に出力する。
【００６２】
ＲＲＣ処理部２２２は、復調後の受信信号に対してＲＲＣレイヤのプロトコル処理を行い、移動局１００が送信したＲＲＣ制御情報を抽出し、ＲＲＣ制御情報を制御部２２４に出力する。抽出されるＲＲＣ制御情報には、ＣＣの変更要求を示す制御情報が含まれる。
【００６３】
テーブル記憶部２２３は、ＲＡＭなどの揮発性の記憶媒体またはフラッシュメモリなどの不揮発性の記憶媒体である。テーブル記憶部２２３は、周辺セルテーブルを記憶する。周辺セルテーブルには、基地局２００ａが用いる周波数帯域の情報が含まれる。
【００６４】
制御部２２４は、ＲＲＣ処理部２２２から取得するＲＲＣ制御情報と、テーブル記憶部２２３に記憶された周辺セルテーブルとに基づいて、移動局１００の感度抑圧効果を低減する制御を行う。例えば、制御部２２４は、ＣＣの変更要求を示すＲＲＣ制御情報を移動局１００から受信すると、感度抑圧効果が低減するように、移動局１００に対するＣＣの割り当てを変更する。そして、制御部２２４は、ＣＣの変更をスケジューラ２３２に通知し、ＣＣの変更を示すＲＲＣ制御情報を生成してパケット生成部２３１に出力する。
【００６５】
ここで、制御部２２４は、感度抑圧効果を低減する制御のため、例えば、プロセッサ２２５およびメモリ２２６を有する。プロセッサ２２５は、プログラムを実行し、ＣＰＵであってもよい。メモリ２２６は、プログラムを少なくとも一時的に記憶し、ＲＡＭなどの揮発性の記憶媒体であってもよい。プロセッサ２２５は、ＲＯＭやフラッシュメモリなどの不揮発性の記憶媒体からプログラムを読み出して、メモリ２２６に格納してもよい。また、テーブル記憶部２２３とメモリ２２６は、同一の記憶装置でもよい。ただし、制御部２２４は、ＡＳＩＣやＦＰＧＡなどの電子回路を用いて実現することも可能である。
【００６６】
パケット生成部２３１は、有線インタフェース２２１から取得したユーザデータや制御部２２４から取得したＲＲＣ制御情報を、無線区間のパケット形式に変換する。
スケジューラ２３２は、パケット生成部２３１からユーザデータやＲＲＣ制御情報を取得し、制御部２２４から通知されるＣＣの割り当て状況に従ってスケジューリングし、ユーザデータやＲＲＣ制御情報を符号化部２３３に順次出力する。
【００６７】
符号化部２３３は、スケジューラ２３２からユーザデータやＲＲＣ制御情報を含む送信信号を取得し、誤り訂正符号化して変調部２３４に出力する。例えば、誤り訂正符号に、畳み込み符号や畳み込みターボ符号、ＬＤＰＣ符号などが用いられる。
【００６８】
変調部２３４は、符号化部２３３から符号化された送信信号を取得し、ＱＰＳＫや１６ＱＡＭなどのデジタル変調を行い、変調された送信信号を多重化部２３５に出力する。
多重化部２３５は、変調部２３４からユーザデータやＲＲＣ制御情報を含む送信信号を取得し、物理レイヤの制御信号や所定のパイロット信号と多重化し（無線リソースにマッピングして）、送信信号をＩＦＦＴ部２３６に出力する。
【００６９】
ＩＦＦＴ部２３６は、多重化部２３５から送信信号を取得し、ＩＦＦＴによって周波数成分を時間成分に変換し、送信信号を無線送信部２３７に出力する。ただし、基地局２００は、ＩＦＦＴ以外の方法によって周波数成分から時間成分への変換を行ってもよい。
【００７０】
無線送信部２３７は、無線送信部２３７から送信信号としてのデジタルベースバンド信号を取得し、ベースバンド周波から無線周波へのアップコンバートを行って、無線周波の送信信号をアンテナ２３８に出力する。無線送信部２３７は、無線信号処理のため、例えば、帯域通過フィルタ、発振器、ミキサ、ＤＡＣなどの回路を備える。
【００７１】
アンテナ２３８は、無線送信部２３７から取得した送信信号を出力する。ただし、基地局２００は、送信用アンテナと受信用アンテナとを分けなくてもよい。
なお、無線受信部２１２、ＦＦＴ部２１３、復調部２１４、復号部２１５、ＭＡＣ／ＲＬＣ処理部２１６およびＲＲＣ処理部２２２は、前述の受信部２１の一例である。制御部２２４は、前述の制御部２２の一例である。また、基地局２００ａも、基地局２００と同様のハードウェアを用いて実装することができる。
【００７２】
図６は、感度抑圧効果の発生状況の例を示す図である。ＩＦフィルタ１２３には、図６に示すような通過帯域が設定される。ＩＦフィルタ１２３の通過帯域は、シフトすることができる。通過帯域とその外の周波数との境界には、受信信号レベルの減衰量が変化する減衰域が存在する。通過帯域と減衰域の少なくとも一方にレベルの大きな不要信号が存在すると、感度抑圧効果が生じる可能性がある。図６の例では、希望信号に加え、希望信号よりレベルの大きな不要信号が、ＩＦフィルタ１２３の通過帯域に存在する。例えば、希望信号は、移動局１００が基地局２００から受信する信号（所望のＣＣの信号）であり、不要信号は、基地局２００ａが送信している信号である。
【００７３】
図７は、基地局が有する周辺セルテーブルの例を示す図である。周辺セルテーブル２２７は、テーブル記憶部２２３に記憶されている。制御部２２４は、基地局２００ａから受信する制御情報に基づいて、周辺セルテーブル２２７を更新する。
【００７４】
周辺セルテーブル２２７は、セルＩＤおよび周波数リストの項目を含む。セルＩＤは、基地局２００の周辺セルを識別するための識別情報である。周波数リストは、セルＩＤが示す周辺セルの基地局（周辺基地局）で使用されている１以上の周波数帯域を含む。周波数帯域は、中心周波数と帯域幅を用いて表してもよいし、下限周波数と上限周波数を用いて表してもよい。また、無線通信システムで使用され得る周波数帯域に予め識別情報が付与されている場合には、当該識別情報（例えば、ＣＣのＩＤ）を用いてもよい。
【００７５】
図８は、移動局から基地局へのメッセージの例を示す図である。ＣＣの変更要求を示すＲＲＣ制御情報として、図８に示すようなメッセージが、移動局１００から基地局２００に送信される。ここで、移動局１００は、基地局２００にＣＣの変更を要求する方法として、後述する３種類の方法の何れの方法を用いることもできる。
【００７６】
（Ａ）第１の方法では、移動局１００は、単にＣＣを変更すべき旨を基地局２００に通知する。この方法では、移動局１００は、自局の識別情報（移動局ＩＤ）とＣＣの変更要求であることを示すメッセージタイプとを含むＲＲＣ制御情報を送信する。
【００７７】
（Ｂ）第２の方法では、移動局１００は、レベルの大きな不要信号が検出されたためにＩＦフィルタ１２３の通過帯域および減衰域から外したい周波数を、基地局２００に通知する。この方法では、移動局１００は、移動局ＩＤとメッセージタイプとに加えて、除外周波数のリストを含むＲＲＣ制御情報を送信する。
【００７８】
（Ｃ）第３の方法では、移動局１００は、感度抑圧効果を低減するために自局が通信に用いることが好ましい周波数の候補を、基地局２００に通知する。この方法では、移動局１００は、移動局ＩＤとメッセージタイプとに加えて、周波数候補のリストを含むＲＣＣ制御情報を送信する。周波数候補の範囲は、下限周波数や上限周波数を用いて表してもよいし、中心周波数と帯域幅を用いて表してもよいし、ＣＣのＩＤを用いて表してもよい。
【００７９】
図９は、第１の移動局処理を示すフローチャートである。図９の移動局処理は、上記の第１の方法によってＣＣの変更要求を行う場合に相当する。図９に示す処理は、移動局１００によって継続的（例えば、定期的）に実行される。
【００８０】
（ステップＳ１１）測定部１３２は、ＩＦフィルタ１２３およびＢＢフィルタ１２７を通過した後のアナログベースバンド信号を取得する。ただし、測定部１３２は、ＢＢフィルタ１２７を通過する前のアナログベースバンド信号を取得してもよい。
【００８１】
（ステップＳ１２）測定部１３２は、取得したアナログベースバンド信号から、希望信号の受信信号レベルとフィルタ通過後に残った不要信号の受信信号レベルとを測定する。前者としては、例えば、通信に用いるＣＣに属する特定の周波数の受信信号レベルや、ＣＣに属する複数の周波数の受信信号レベルの平均や最大を測定する。後者としては、例えば、通信に用いるＣＣに属さない各周波数の受信信号レベルを測定する。
【００８２】
（ステップＳ１３）制御部１３３は、希望信号よりもレベルが大きく、希望信号との差または比が閾値を超える不要信号が存在するか判断する。存在する場合、大きな感度抑圧効果が生じると判断し、処理をステップＳ１４に進める。一方、存在しない場合、大きな感度抑圧効果は生じないと判断し、処理を終了する。なお、制御部１３３は、不要信号の受信信号レベルが閾値を超えるとき、大きな感度抑圧効果が生じると判断してもよい。
【００８３】
（ステップＳ１４）制御部１３３は、ＩＦフィルタ１２３のフィルタ特性（通過帯域や減衰域の幅を含む）と、希望信号との差または比が閾値を超える不要信号が存在する周波数とから、通過帯域のシフトによって当該不要信号を除外可能か判断する。除外可能な場合、処理をステップＳ１７に進める。除外不可の場合、処理をステップＳ１５に進める。
【００８４】
例えば、制御部１３３は、通信に用いる下限周波数と上限周波数の間に、検出された不要信号が存在する周波数が含まれるか確認し、含まれる場合は除外不可と判断する。これは、移動局１００が２以上のＣＣを用いる場合に生じ得る。また、制御部１３３は、通信に用いるＣＣの周波数帯域と検出された不要信号が存在する周波数との距離（エッジ間の周波数の差）を算出し、距離が所定の閾値未満の場合は除外不可と判断する。距離の閾値は、ＩＦフィルタ１２３のフィルタ特性を考慮して予め設定される。
【００８５】
（ステップＳ１５）制御部１３３は、ＣＣの変更要求を示すＲＲＣ制御情報（図８のメッセージ（Ａ）に相当）を生成する。ＲＲＣ制御情報は、無線信号に変換されてアンテナ１１１から基地局２００に送信される。
【００８６】
（ステップＳ１６）ＲＲＣ処理部１３１は、基地局２００からの受信信号から、ＣＣの変更指示を示すＲＲＣ制御情報を抽出する。制御部１３３は、発振器１２５に発振周波数の変更を指示し、受信するＣＣを変更する。なお、基地局２００が使用する各ＣＣの周波数帯域は、例えば、基地局２００が送信する報知情報に記載されている。
【００８７】
（ステップＳ１７）制御部１３３は、通過帯域および減衰域内に、通信に用いるＣＣの周波数帯域が含まれ、検出された不要信号が存在する周波数が含まれないように、ＩＦフィルタ１２３の通過帯域をシフトさせる。例えば、制御部１３３は、現在の通過帯域と通信に用いるＣＣの周波数帯域とから、シフト方向を決定し、通過帯域と検出された不要信号が存在する周波数との距離が閾値以上になるように、シフト量を決定する。
【００８８】
図１０は、第２の移動局処理を示すフローチャートである。図１０の移動局処理は、上記の第２の方法によってＣＣの変更要求を行う場合に相当する。図１０に示す処理は、移動局１００によって継続的（例えば、定期的）に実行される。
【００８９】
ステップＳ２１〜Ｓ２４，Ｓ２７，Ｓ２８の処理は、上記のステップＳ１１〜Ｓ１４，Ｓ１６，Ｓ１７と同様であるため、説明を省略する。
（ステップＳ２５）制御部１３３は、希望信号との差または比が閾値を超える不要信号が存在する周波数を、除外周波数として列挙する。
【００９０】
（ステップＳ２６）制御部１３３は、ＣＣの変更要求を示し、除外周波数リストを含むＲＲＣ制御情報（図８のメッセージ（Ｂ）に相当）を生成する。ＲＲＣ制御情報は、無線信号に変換されてアンテナ１１１から基地局２００に送信される。
【００９１】
図１１は、第３の移動局処理を示すフローチャートである。図１１の移動局処理は、上記の第３の方法によってＣＣの変更要求を行う場合に相当する。図１１に示す処理は、移動局１００によって継続的（例えば、定期的）に実行される。
【００９２】
ステップＳ３１〜Ｓ３４，Ｓ３７，Ｓ３８の処理は、上記のステップＳ１１〜Ｓ１４，Ｓ１６，Ｓ１７と同様であるため、説明を省略する。
（ステップＳ３５）制御部１３３は、ＩＦフィルタ１２３のフィルタ特性と、希望信号との差または比が閾値を超える不要信号が存在する周波数とから、感度抑圧効果を低減するための周波数候補を算出する。例えば、制御部１３３は、検出された不要信号が存在する周波数との距離が閾値以上になる周波数の範囲を算出する。
【００９３】
（ステップＳ３６）制御部１３３は、ＣＣの変更要求を示し、周波数候補リストを含むＲＲＣ制御情報（図８のメッセージ（Ｃ）に相当）を生成する。ＲＲＣ制御情報は、無線信号に変換されてアンテナ１１１から基地局２００に送信される。
【００９４】
図１２は、基地局処理を示すフローチャートである。
（ステップＳ４１）ＲＲＣ処理部２２２は、移動局１００からの受信信号から、ＣＣの変更要求を示すＲＲＣ制御情報を抽出する。
【００９５】
（ステップＳ４２）制御部２２４は、抽出されたＲＲＣ制御情報が、周波数候補を指定しているか（例えば、図８のメッセージ（Ｃ）の形式に相当するか）判断する。周波数候補を指定している場合、処理をステップＳ４４に進める。周波数候補を指定していない場合、処理をステップＳ４３に進める。
【００９６】
（ステップＳ４３）制御部２２４は、抽出されたＲＲＣ制御情報が、除外周波数を指定しているか（例えば、図８のメッセージ（Ｂ）の形式に相当するか）判断する。除外周波数を指定している場合、処理をステップＳ４５に進める。周波数候補も除外周波数も指定していない場合、処理をステップＳ４６に進める。
【００９７】
（ステップＳ４４）制御部２２４は、指定された周波数候補内にあるＣＣを、変更後のＣＣとして選択する。なお、２以上のＣＣが用いられる場合（キャリアアグリゲーションを行う場合）は、２以上のＣＣが不要信号の存在する周波数を跨がないようにＣＣを選択する。そして、処理をステップＳ４８に進める。
【００９８】
（ステップＳ４５）制御部２２４は、ＩＦフィルタ１２３の通過帯域を調整することにより、指定された除外周波数を通過帯域および減衰域から除外できるように、変更後のＣＣを選択する。例えば、制御部２２４は、除外周波数との距離が閾値以上になる周波数の範囲を算出し、算出した範囲内にあるＣＣを選択する。なお、キャリアアグリゲーションを行う場合は、２以上のＣＣが不要信号の存在する周波数を跨がないようにＣＣを選択する。そして、処理をステップＳ４８に進める。
【００９９】
（ステップＳ４６）制御部２２４は、テーブル記憶部２２３に記憶された周辺セルテーブル２２７を検索し、周辺基地局が使用する周波数帯を確認する。
（ステップＳ４７）制御部２２４は、ＩＦフィルタ１２３の通過帯域を調整することにより、周辺基地局の周波数帯域を通過帯域および減衰域から除外できるように、変更後のＣＣを選択する。例えば、制御部２２４は、周辺基地局の周波数帯域との距離が閾値以上になる周波数の範囲を算出してＣＣを選択する。なお、キャリアアグリゲーションを行う場合は、２以上のＣＣが周辺基地局の周波数帯域を跨がないようにＣＣを選択する。
【０１００】
（ステップＳ４８）制御部２２４は、選択された１またはそれ以上のＣＣの情報（例えば、ＣＣのＩＤ）を含み、ＣＣの変更指示を示すＲＲＣ制御情報を生成する。ＲＲＣ制御情報は、無線信号に変換されてアンテナ２３８から移動局１００に送信される。
【０１０１】
図１３は、フィルタの通過帯域の第１のシフト例を示す図である。図１３の例では、ＩＦフィルタ１２３の通過帯域に、レベルの大きな不要信号（例えば、基地局２００ａの送信信号）が含まれている。この状態では、大きな感度抑圧効果が生じ得る。ただし、基地局２００から受信する希望信号は、周波数軸上で不要信号から閾値以上離れている。
【０１０２】
そこで、移動局１００は、基地局２００にＣＣ変更を要求せずに、希望信号の周波数が通過帯域に含まれ不要信号の周波数が通過帯域および減衰域から除外されるように、ＩＦフィルタ１２３の通過帯域をシフトする。図１３の例では、移動局１００は、シフト量が最小となるよう、減衰域のエッジと不要信号のエッジとが隣接するように通過帯域をシフトしている。シフト後の状態では、感度抑圧効果が十分に抑制される。
【０１０３】
図１４は、フィルタの通過帯域の第２のシフト例を示す図である。図１４の例では、ＩＦフィルタ１２３の減衰域に、レベルの大きな不要信号（例えば、基地局２００ａの送信信号）が含まれている。この状態においても、大きな感度抑圧効果が生じ得る。ただし、基地局２００から受信する希望信号は、周波数軸上で不要信号から閾値以上離れている。
【０１０４】
そこで、移動局１００は、基地局２００にＣＣ変更を要求せずに、希望信号の周波数が通過帯域に含まれ不要信号の周波数が通過帯域および減衰域から除外されるように、ＩＦフィルタ１２３の通過帯域をシフトする。図１４の例では、移動局１００は、シフト量が最小となるよう、減衰域のエッジと不要信号のエッジとが隣接するように通過帯域をシフトしている。シフト後の状態では、感度抑圧効果が十分に抑制される。
【０１０５】
図１５は、フィルタの通過帯域の第３のシフト例を示す図である。図１５の例では、ＩＦフィルタ１２３の通過帯域に、レベルの大きな不要信号（例えば、基地局２００ａの送信信号）が含まれている。この状態では、大きな感度抑圧効果が生じ得る。また、基地局２００から受信する希望信号は、周波数軸上で不要信号から閾値以上離れていない。このため、希望信号の周波数が通過帯域に含まれ不要信号の周波数が通過帯域および減衰域から除外されるように、ＩＦフィルタ１２３の通過帯域をシフトすることができない。
【０１０６】
そこで、移動局１００は、基地局２００にＣＣ変更を要求する。基地局２００は、周波数軸上で希望信号が不要信号から閾値以上離れるように、通信に用いるＣＣを変更する。ＣＣが変更されると、移動局１００は、希望信号の周波数が通過帯域に含まれ不要信号の周波数が通過帯域および減衰域から除外されるように、ＩＦフィルタ１２３の通過帯域をシフトする。図１５の例では、移動局１００は、シフト量が最小となるよう、減衰域のエッジと不要信号のエッジとが隣接するように通過帯域をシフトしている。シフト後の状態では、感度抑圧効果が十分に抑制される。
【０１０７】
図１６は、フィルタの通過帯域の第４のシフト例を示す図である。図１６の例では、ＩＦフィルタ１２３の通過帯域に、レベルの大きな不要信号（例えば、基地局２００ａの送信信号）が含まれている。この状態では、大きな感度抑圧効果が生じ得る。また、周波数軸上で、通信に用いる２つのＣＣが不要信号を挟んでいる。このため、希望信号の周波数が通過帯域に含まれ不要信号の周波数が通過帯域および減衰域から除外されるように、ＩＦフィルタ１２３の通過帯域をシフトすることができない。
【０１０８】
そこで、移動局１００は、基地局２００にＣＣ変更を要求する。基地局２００は、周波数軸上で２つのＣＣが不要信号を挟まず、且つ、希望信号が不要信号から閾値以上離れるように、通信に用いるＣＣを変更する。ＣＣが変更されると、移動局１００は、希望信号の周波数が通過帯域に含まれ不要信号の周波数が通過帯域および減衰域から除外されるように、ＩＦフィルタ１２３の通過帯域をシフトする。図１６の例では、移動局１００は、シフト量が最小となるよう、減衰域のエッジと不要信号のエッジとが隣接するように通過帯域をシフトしている。シフト後の状態では、感度抑圧効果が十分に抑制される。
【０１０９】
第２の実施の形態の無線通信システムは、不要信号の受信信号レベルを測定して感度抑圧効果を検出し、ＩＦフィルタ１２３の通過帯域をシフトすることで感度抑圧効果を低減できるか判定する。通過帯域のシフトのみでは感度抑圧効果の低減が難しいと判定したときは、通信に用いるＣＣの変更を移動局１００から基地局２００に要求する。このため、移動局１００の受信信号処理で生じる感度抑圧効果を効率的に低減することができ、移動局１００の受信品質を改善できる。
【０１１０】
また、移動局１００は、ＣＣ変更の要求方法として３つの方法の何れかを選択することができる。第１の方法によれば、移動局１００は単にＣＣ変更を要求するだけでよく、移動局１００の負荷が軽減される。第２の方法によれば、基地局２００が感度抑圧効果の原因となっている実際の周波数を容易に特定することができ、変更後のＣＣをより適切に選択できるようになる。第３の方法によれば、移動局１００の実際のフィルタ特性が考慮されて周波数候補が算出され得るため、変更後のＣＣをより適切に選択できるようになる。
【０１１１】
上記については単に本発明の原理を示すものである。更に、多数の変形や変更が当業者にとって可能であり、本発明は上記に示し、説明した正確な構成および応用例に限定されるものではなく、対応する全ての変形例および均等物は、添付の請求項およびその均等物による本発明の範囲とみなされる。
【符号の説明】
【０１１２】
１０  移動局
１１  検出部
１２  送信部
１３  制御情報
２０  基地局
２１  受信部
２２  制御部
【図１】
0005605509.tif 000002
【図２】
0005605509.tif 000003
【図３】
0005605509.tif 000004
【図４】
0005605509.tif 000005
【図５】
0005605509.tif 000006
【図６】
0005605509.tif 000007
【図７】
0005605509.tif 000008
【図８】
0005605509.tif 000009
【図９】
0005605509.tif 000010
【図１０】
0005605509.tif 000011
【図１１】
0005605509.tif 000012
【図１２】
0005605509.tif 000013
【図１３】
0005605509.tif 000014
【図１４】
0005605509.tif 000015
【図１５】
0005605509.tif 000016
【図１６】
0005605509.tif 000017